(57)【要約】      （修正有）【課題】椅子、座椅子、ソファー等の椅子類において、着座の際に邪魔にならず、如何なる場所でも使用でき、さらには所望の角度で手元に光を照射させることができる照明具付椅子類を提供する。【解決手段】椅子類に発光体１を着脱自在に装着した。椅子類と発光体１の基端とが屈曲自在なアーム６を介して連結された。椅子類の骨組用パイプ芯材１３の孔にアーム６の端部が着脱自在に螺着する。発光体１が、椅子類の肘掛部内に収納可能である。椅子類が、椅子、座椅子１０またはソファーである。【選択図】図１
0003136877.tif 000002
【実用新案登録請求の範囲】
【請求項１】
椅子類に発光体を着脱自在に装着したことを特徴とする照明具付椅子類。
【請求項２】
前記椅子類と前記発光体の基端とが屈曲自在なアームを介して連結された請求項１記載の照明具付椅子類。
【請求項３】
前記椅子類の骨組用パイプ芯材の孔に前記アームの端部が着脱自在に螺着する請求項２記載の照明具付椅子類。
【請求項４】
前記発光体が、前記椅子類の肘掛部内に収納可能な請求項１〜３のうちいずれか一項記載の照明具付椅子類。
【請求項５】
前記椅子類が、椅子、座椅子またはソファーである請求項１〜４のうちいずれか一項記載の照明具付椅子類。
【考案の詳細な説明】
【技術分野】
【０００１】
本考案は、着座時または横臥時に手元を明るく照らし出すことができる照明具付椅子類に関する。
【背景技術】
【０００２】
一般家庭の座敷や居間には、四脚の椅子、和室で使う脚のない背凭れ用の座椅子、また幅広の背凭れがあり両端に肘掛の付いているソファー等の椅子類が配置されている。かかる椅子類は、着座してくつろいだ状態でテレビ鑑賞や読書を楽しむことができる。特に、背凭れを起伏自在に調整できる座椅子においては、背凭れを起立した状態でテレビ鑑賞や読書ができ、さらに水平状に倒伏させると仮眠することも可能になる。
【０００３】
また、特許文献１には座椅子の柱の頭にコンセント付アームバーが差込め夜でも寝ながら読書できる座椅子枕読書具が報告されている。
【特許文献１】実開平１−６１１５１号公報（第２頁、図１）
【考案の開示】
【考案が解決しようとする課題】
【０００４】
しかしながら、新聞や書籍を読む際、夜間などは、照明具を近くまで持ってきて手元を照射したり、部屋を必要以上に明るくしたりする必要があった。また、特許文献１記載の座椅子枕読書具は、本立てを照らす照明器具が柱に装着されているが、かかる照明器具を使用するには電源コードを近くのコンセントに差し込まなければならず、使用範囲が限定されるという問題があった。また、照明器具が大型で着座時に邪魔になると共に、本立てを照らす微妙な角度調節も困難であった。
【０００５】
そこで本考案は上記の点に鑑み、椅子、座椅子、ソファー等の椅子類において、着座の際に邪魔にならず、如何なる場所でも使用でき、さらには所望の角度で手元に光を照射させることができる照明具付椅子類を提供することにある。
【課題を解決するための手段】
【０００６】
上記課題を解決するために本考案の照明具付椅子類は、椅子類に発光体を着脱自在に装着したことを特徴とするものである。本考案の照明具付椅子類においては、前記椅子類と前記発光体の基端とが屈曲自在なアームを介して連結されていることが好ましく、前記椅子類の骨組用パイプ芯材の孔に前記アームの端部が着脱自在に螺着することが好ましい。また、前記発光体は、前記椅子類の肘掛部内に収納可能としてもよい。さらに、前記椅子類は、好ましくは椅子、座椅子またはソファーである。
【考案の効果】
【０００７】
椅子類に、発光体を着脱自在に装着することにより、新聞や書籍を読む際、所望の箇所に容易に光を照射することができる。また、発光体は不使用時には取り外すことができ、照明を必要としないときは邪魔になることはない。さらに、肘掛を有する椅子類にあっては、肘掛内部に収納可能とすることにより、デザイン性および使用感が向上する。
【考案を実施するための最良の形態】
【０００８】
以下、本考案における照明具付椅子類の好適な実施形態を図面に基づいて説明する。
図１は本考案の照明具付椅子類Ａとして、汎用の座椅子１０を、図３は肘掛付座椅子２０を、図４はソファー３０を夫々示す。
【０００９】
図１に示す椅子類Ａは、座部１１と、座部１１に起伏自在に連結されている背凭れ１２とを備える座椅子１０である。座椅子１０の内部には、中空状のパイプ芯材１３が配設されており、パイプ芯材１３には孔１４が穿設されており、発光体１が着脱自在に装着することができる（図２（ｂ））。
【００１０】
発光体１は、図２（ａ）に示すように、筒状のケース体２と、ケース体２内に配設された発光ダイオードからなる発光部材３と、発光部材３を発光させる電池等からなる電源（図示せず）と、ケース体２の前面に設けられた、照射範囲を広くする凸レンズ４と、ケース体２の後部に設けられた雌ネジ部７とで構成されている。図示する発光体１は、ケース体２を左右方向に回転させることで、スイッチの入切を行うことができる。なお、発光部材３は発光ダイオードに限定されず、汎用の小型電球を使用することができる。また、電源をケース体２内に収納せずに、装着する椅子類内部あるいは該椅子類を介して近くのコンセントとしてもよい。
【００１１】
発光体１の基端は、屈曲自在のアーム６に装着されている。アーム６は、複数の連結部が遊着状態で接続されており、僅かな力で前後左右に自在に屈曲させることができる。このため、発光体１から照射される光の角度を微調整することが可能である。アーム６の先端には雄ネジ部５が形成されており、発光体１の雌ネジ部７と螺合させることにより、発光体１への装着を容易に行うことができる。
【００１２】
アーム６の基端には、図２（ｂ）に示すように、雄ネジ部８が形成されている。かかる雄ネジ部８を座椅子のパイプ芯材１３の孔１４に挿入し、ナット９、９´にてネジ締めすることでアーム６を座椅子に螺着することができる。なお、アーム６は図中、背凭れ１２上部のパイプ芯材１３に装着されているが、これに限らず、パイプ芯材１３の所望の箇所に雄ネジ部８を挿入する孔１４を設けることで、背凭れ１２の側面部分や座部１１にも装着できることは言うまでもない。
【００１３】
図３に示す椅子類Ａは、座部２１と、座部２１に起伏自在に連結されている背凭れ２２と、座部２１の両側面に具備された肘掛部２３とを備えた肘掛座椅子２０である。肘掛部２３は箱型に形成されており、上部には開閉自在の蓋体２４が設置されている。
【００１４】
アーム６の基端は肘掛部２３の底部に固定されており、不使用時には発光体１をアーム６ごと肘掛部２３内に収容させることができる。肘掛部２３上の開口部は蓋体２４で覆うことができるので、通常のように肘掛部２３上に肘を載置することができる。
【００１５】
発光体１を使用する場合、蓋体２４から出して手元まで引き上げ、スイッチを入れて任意の箇所に光を照射させる。このようにして、快適な条件で本や新聞を読むことができる。
【００１６】
図４に示す椅子類Ａは、複数人が着座することができ、また横臥することも可能な幅広の座部３１を有するソファー３０である。図中、ソファー３０の肘掛部３２には発光体１が装着されている。また、発光体１をソファー３０の背凭れ３３の一部に装着してもよい。例えば、１つのソファー３０に複数箇所に装着箇所を設けておくことにより、種々の対応が可能となる。
【００１７】
ソファー３０の肘掛部３２または背凭れ３３に発光体１を装着することで、ソファー３０に座った状態や横臥した状態で、手元を明るく照射させることができる。また、箱型の肘掛部３２であれば、肘掛部３２内に発光体１およびアーム６を収納することができる。
【図面の簡単な説明】
【００１８】
【図１】本考案の照明具付椅子類である座椅子を示す斜視図である。
【図２】本考案の照明具付椅子類に使用される発光体を示す斜視図である。
【図３】本考案の照明具付椅子類である肘掛座椅子を示す斜視図である。
【図４】本考案の照明具付椅子類であるソファーを示す斜視図である。
【符号の説明】
【００１９】
１    発光体  
２    ケース体  
３    発光部材  
４    凸レンズ    
５    雄ネジ部  
６    アーム  
７    雌ネジ部  
８    雄ネジ部  
９    ナット  
１０  座椅子
１１  座部
１２  背凭れ
１３  パイプ芯材
１４  孔
２０  肘掛座椅子
２１  座部
２２  背凭れ
２３  肘掛部
２４  蓋体
３０  ソファー
３１  座部
３２  肘掛
３３  背凭れ
【図１】
0003136877.tif 000003
【図２】
0003136877.tif 000004
【図３】
0003136877.tif 000005
【図４】
0003136877.tif 000006